(57)【要約】【課題】ラウンド組の設定作業を容易にし、その手間を削減することができるゴルフコンペ支援システム、ゴルフコンペ支援方法およびゴルフコンペ支援プログラムを提供する。【解決手段】ゴルフ場情報と問合せ情報とを問合書フォームと合成して表示する。ゴルフ場情報と開催情報とを案内書フォームと合成して表示する。ゴルフコンペの複数の参加者の同じラウンド組の参加者の指定、異なるラウンド組の参加者の指定、希望スタート時刻を条件に組み入れて、参加者のハンディキャップの各組ごとの合計のばらつきが最小になるよう、各参加者を所定人数ごとに分けて複数のラウンド組を設定する。各参加者を設定したラウンド組ごとに、スタート時刻と対応させて表示する。【選択図】図１
2004348297.tif 000002
【特許請求の範囲】
【請求項１】
ゴルフコンペの複数の参加者を参加者ごとに氏名およびハンディキャップの情報を含む参加者情報として記憶する参加者情報記憶手段と、
前記参加者情報記憶手段に記憶された参加者情報のハンディキャップの各組ごとの合計のばらつきが最小になるよう、各参加者情報を所定人数ごとに分けて複数のラウンド組を設定する組分け手段と、
各参加者情報を前記組分け手段で設定したラウンド組ごとに表示する組分け表示手段とを、
有することを特徴とするゴルフコンペ支援システム。
【請求項２】
前記参加者情報は、同じラウンド組の参加者の指定、異なるラウンド組の参加者の指定、希望スタート時刻の各情報を含み、
前記組分け手段は、前記参加者情報の同じラウンド組の参加者の指定、異なるラウンド組の参加者の指定、希望スタート時刻を条件に組み入れて、前記ラウンド組を所定のゲーム開始時刻から順位とともに設定する手段から成り、
前記ゲーム開始時刻から所定の時間ごとにラウンドするスタート時刻を設定する時刻設定手段を有し、
前記組分け表示手段は、前記組分け手段で順位とともに設定された各ラウンド組をその順位に応じて、前記時刻設定手段で設定されたスタート時刻と対応させて表示することを、
特徴とする請求項１記載のゴルフコンペ支援システム。
【請求項３】
ゴルフ場の名称を含むゴルフ場情報を記憶するゴルフ場情報記憶手段と、
コンペ開催希望日時およびコンペ参加予定人数を含む問合せ情報を記憶する問合せ情報記憶手段と、
問合書フォームを記憶する問合書フォーム記憶手段と、
前記ゴルフ場情報記憶手段に記憶されたゴルフ場情報と、前記問合せ情報記憶手段に記憶された問合せ情報とを前記問合書フォーム記憶手段に記憶された問合書フォームと合成して表示する問合書表示手段と、
コンペ名称およびコンペ開催日時を含む開催情報を記憶する開催情報記憶手段と、
案内書フォームを記憶する案内書フォーム記憶手段と、
前記ゴルフ場情報記憶手段に記憶されたゴルフ場情報と、前記開催情報記憶手段に記憶された開催情報とを前記案内書フォーム記憶手段に記憶された案内書フォームと合成して表示する案内書表示手段とを、
有することを特徴とする請求項１または２記載のゴルフコンペ支援システム。
【請求項４】
ゴルフコンペの複数の参加者を参加者ごとに氏名およびハンディキャップの情報を含む参加者情報として記憶する参加者情報記憶ステップと、
前記参加者情報記憶ステップで記憶した参加者情報のハンディキャップの各組ごとの合計のばらつきが最小になるよう、各参加者情報を所定人数ごとに分けて複数のラウンド組を設定する組分けステップと、
各参加者情報を前記組分けステップで設定したラウンド組ごとに表示する組分け表示ステップとを、
有することを特徴とするゴルフコンペ支援方法。
【請求項５】
コンピュータを、
ゴルフコンペの複数の参加者を参加者ごとに氏名およびハンディキャップの情報を含む参加者情報として記憶する参加者情報記憶手段、
前記参加者情報記憶手段で記憶した参加者情報のハンディキャップの各組ごとの合計のばらつきが最小になるよう、各参加者情報を所定人数ごとに分けて複数のラウンド組を設定する組分け手段、
各参加者情報を前記組分け手段で設定したラウンド組ごとに表示する組分け表示手段として、
機能させるためのゴルフコンペ支援プログラム。
【発明の詳細な説明】
【０００１】
【発明の属する技術分野】
本発明は、ゴルフコンペの開催準備を支援するためのゴルフコンペ支援システム、ゴルフコンペ支援方法およびゴルフコンペ支援プログラムに関する。
【０００２】
【従来の技術】
従来、ゴルフコンペ支援システムとして、予め取得したゴルフ場の案内情報をユーザ端末に提供し、選択されたゴルフ場、プレーヤ数、各プレーヤの名前、メールアドレス、ハンディキャップ、コンペでの表彰の種類などのサービス要求情報をユーザ端末から取得し、ゴルフ場の予約を行い、案内書を作成して各プレーヤに通知し、ゴルフコンペ実施後に、ゴルフコンペの各プレーヤのスコア、ニアピン、ドラコンの表彰獲得者などの結果情報を取得し、結果情報に基づいて各プレーヤのスコア集計、コンペ順位、表彰者の名前、各プレーヤのハンディキャップ計算などのサポート結果を生成し、ユーザ端末に通知するものがある（例えば、特許文献１参照）。
【０００３】
【特許文献１】
特開２００２−２２２２８８号公報
【０００４】
【発明が解決しようとする課題】
ところで、ゴルフコンペは、参加者の親睦や仕事の営業などの目的で開催されるため、ラウンド組の設定が非常に重要である。しかしながら、従来のゴルフコンペ支援システムでは、ラウンド組の設定を行うことはできない。このため、これまで通り、幹事などが参加者のハンディキャップや希望などを考慮に入れながらラウンド組の設定作業を行わなければならず、煩雑な処理に手間がかかるという課題があった。
【０００５】
本発明は、このような従来の課題に着目してなされたもので、ラウンド組の設定作業を容易にし、その手間を削減することができるゴルフコンペ支援システム、ゴルフコンペ支援方法およびゴルフコンペ支援プログラムを提供することを目的とする。
【０００６】
【課題を解決するための手段】
上記目的を達成するために、本発明に係るゴルフコンペ支援システムは、ゴルフコンペの複数の参加者を参加者ごとに氏名およびハンディキャップの情報を含む参加者情報として記憶する参加者情報記憶手段と、前記参加者情報記憶手段に記憶された参加者情報のハンディキャップの各組ごとの合計のばらつきが最小になるよう、各参加者情報を所定人数ごとに分けて複数のラウンド組を設定する組分け手段と、各参加者情報を前記組分け手段で設定したラウンド組ごとに表示する組分け表示手段とを、有することを特徴とする。
【０００７】
本発明に係るゴルフコンペ支援方法は、ゴルフコンペの複数の参加者を参加者ごとに氏名およびハンディキャップの情報を含む参加者情報として記憶する参加者情報記憶ステップと、前記参加者情報記憶ステップで記憶した参加者情報のハンディキャップの各組ごとの合計のばらつきが最小になるよう、各参加者情報を所定人数ごとに分けて複数のラウンド組を設定する組分けステップと、各参加者情報を前記組分けステップで設定したラウンド組ごとに表示する組分け表示ステップとを、有することを特徴とする。
【０００８】
本発明に係るゴルフコンペ支援プログラムは、コンピュータを、ゴルフコンペの複数の参加者を参加者ごとに氏名およびハンディキャップの情報を含む参加者情報として記憶する参加者情報記憶手段、前記参加者情報記憶手段で記憶した参加者情報のハンディキャップの各組ごとの合計のばらつきが最小になるよう、各参加者情報を所定人数ごとに分けて複数のラウンド組を設定する組分け手段、各参加者情報を前記組分け手段で設定したラウンド組ごとに表示する組分け表示手段として、機能させる。
【０００９】
本発明に係るゴルフコンペ支援システム、ゴルフコンペ支援方法およびゴルフコンペ支援プログラムでは、参加者情報を参加者から取得しても良い。取得する方法は、電話やＦＡＸなどいかなる方法でも良く、取得した参加者情報は、キーボードなどの入力手段によりコンピュータに入力しても良い。この場合、コンピュータに入力する手間を省くため、参加者から電子メールで参加者情報を取得可能であることが好ましい。また、入力する手間を省くため、以前に開催されたゴルフコンペで使用され、電子データ化されている参加者情報を再利用可能であることが好ましい。
【００１０】
また、本発明に係るゴルフコンペ支援システム、ゴルフコンペ支援方法およびゴルフコンペ支援プログラムは、ハンディキャップの各組ごとの合計のばらつきが最小になるようラウンド組を設定するため、各組の平均レベルがほぼ均一となり、各組のラウンド所要時間の平均化を図ることができる。このため、この作業を幹事などが行っていた場合に比べ、ラウンド組の設定作業を容易にし、その手間を削減することができる。
【００１１】
本発明に係るゴルフコンペ支援システム、ゴルフコンペ支援方法およびゴルフコンペ支援プログラムでは、ハンディキャップの各ラウンド組ごとの合計のばらつきを最小にする方法として、例えば、ハンディキャップの小さい順に、各ラウンド組に一人ずつ参加者を振り分けていく。全てのラウンド組に一人ずつ振り分け終わると、振り分けるラウンド組の順番を反対にして、再びハンディキャップの小さい順に、残りの参加者を各ラウンド組に一人ずつ振り分けていく。これを繰り返し、全ての参加者を各組に振り分けてラウンド組の設定を行うことができる。
【００１２】
本発明に係るゴルフコンペ支援システムでは、前記参加者情報は、同じラウンド組の参加者の指定、異なるラウンド組の参加者の指定、希望スタート時刻の各情報を含み、前記組分け手段は、前記参加者情報の同じラウンド組の参加者の指定、異なるラウンド組の参加者の指定、希望スタート時刻を条件に組み入れて、前記ラウンド組を所定のゲーム開始時刻から順位とともに設定する手段から成り、前記ゲーム開始時刻から所定の時間ごとにラウンドするスタート時刻を設定する時刻設定手段を有し、前記組分け表示手段は、前記組分け手段で順位とともに設定された各ラウンド組をその順位に応じて、前記時刻設定手段で設定されたスタート時刻と対応させて表示することが好ましい。
【００１３】
本発明に係るゴルフコンペ支援方法では、前記参加者情報は、同じラウンド組の参加者の指定、異なるラウンド組の参加者の指定、希望スタート時刻の各情報を含み、前記組分けステップは、前記参加者情報の同じラウンド組の参加者の指定、異なるラウンド組の参加者の指定、希望スタート時刻を条件に組み入れて、前記ラウンド組を所定のゲーム開始時刻から順位とともに設定するステップから成り、前記ゲーム開始時刻から所定の時間ごとにラウンドするスタート時刻を設定する時刻設定ステップを有し、前記組分け表示ステップは、前記組分けステップで順位とともに設定された各ラウンド組をその順位に応じて、前記時刻設定ステップで設定されたスタート時刻と対応させて表示することが好ましい。
【００１４】
本発明に係るゴルフコンペ支援プログラムでは、前記参加者情報は、同じラウンド組の参加者の指定、異なるラウンド組の参加者の指定、希望スタート時刻の各情報を含み、前記組分け手段は、前記参加者情報の同じラウンド組の参加者の指定、異なるラウンド組の参加者の指定、希望スタート時刻を条件に組み入れて、前記ラウンド組を所定のゲーム開始時刻から順位とともに設定する手段から成り、前記ゲーム開始時刻から所定の時間ごとにラウンドするスタート時刻を設定する時刻設定手段としてコンピュータを機能させ、前記組分け表示手段は、前記組分け手段で順位とともに設定された各ラウンド組をその順位に応じて、前記時刻設定手段で設定されたスタート時刻と対応させて表示することが好ましい。
【００１５】
このように、各ラウンド組をその順位に応じてスタート時刻と対応させて表示する場合、同じラウンド組の指定、異なるラウンド組の指定および希望スタート時刻についての参加者の希望を考慮した最適なラウンド組の設定を行うことができる。また、従来幹事などが参加者のハンディキャップや希望などを考慮に入れながら行っていた場合に比べ、ラウンド組の設定作業を容易にし、その手間を削減することができる。なお、希望スタート時刻は、時間帯を表す情報でもよい。
【００１６】
また、本発明に係るゴルフコンペ支援システムは、ゴルフ場の名称を含むゴルフ場情報を記憶するゴルフ場情報記憶手段と、コンペ開催希望日時およびコンペ参加予定人数を含む問合せ情報を記憶する問合せ情報記憶手段と、問合書フォームを記憶する問合書フォーム記憶手段と、前記ゴルフ場情報記憶手段に記憶されたゴルフ場情報と、前記問合せ情報記憶手段に記憶された問合せ情報とを前記問合書フォーム記憶手段に記憶された問合書フォームと合成して表示する問合書表示手段と、コンペ名称およびコンペ開催日時を含む開催情報を記憶する開催情報記憶手段と、案内書フォームを記憶する案内書フォーム記憶手段と、前記ゴルフ場情報記憶手段に記憶されたゴルフ場情報と、前記開催情報記憶手段に記憶された開催情報とを前記案内書フォーム記憶手段に記憶された案内書フォームと合成して表示する案内書表示手段とを、有することが好ましい。
【００１７】
また、本発明に係るゴルフコンペ支援方法は、ゴルフ場の名称を含むゴルフ場情報を記憶するゴルフ場情報記憶ステップと、コンペ開催希望日時およびコンペ参加予定人数を含む問合せ情報を記憶する問合せ情報記憶ステップと、問合書フォームを記憶する問合書フォーム記憶ステップと、前記ゴルフ場情報記憶ステップに記憶されたゴルフ場情報と、前記問合せ情報記憶ステップに記憶された問合せ情報とを前記問合書フォーム記憶ステップに記憶された問合書フォームと合成して表示する問合書表示ステップと、コンペ名称およびコンペ開催日時を含む開催情報を記憶する開催情報記憶ステップと、案内書フォームを記憶する案内書フォーム記憶ステップと、前記ゴルフ場情報記憶ステップに記憶されたゴルフ場情報と、前記開催情報記憶ステップに記憶された開催情報とを前記案内書フォーム記憶ステップに記憶された案内書フォームと合成して表示する案内書表示ステップとを、有することが好ましい。
【００１８】
また、本発明に係るゴルフコンペ支援プログラムは、コンピュータを、ゴルフ場の名称を含むゴルフ場情報を記憶するゴルフ場情報記憶手段、コンペ開催希望日時およびコンペ参加予定人数を含む問合せ情報を記憶する問合せ情報記憶手段、問合書フォームを記憶する問合書フォーム記憶手段、前記ゴルフ場情報記憶手段で記憶されたゴルフ場情報と、前記問合せ情報記憶手段で記憶された問合せ情報とを前記問合書フォーム記憶手段で記憶された問合書フォームと合成して表示する問合書表示手段、コンペ名称およびコンペ開催日時を含む開催情報を記憶する開催情報記憶手段、案内書フォームを記憶する案内書フォーム記憶手段、前記ゴルフ場情報記憶手段で記憶されたゴルフ場情報と、前記開催情報記憶手段で記憶された開催情報とを前記案内書フォーム記憶手段で記憶された案内書フォームと合成して表示する案内書表示手段として、機能させることが好ましい。
【００１９】
このように、問合書フォームおよび案内書フォームを表示する場合、問合書および案内書も作成することができるため、ゴルフコンペの開催準備に伴う一連の作業を容易にすることができる。
【００２０】
なお、ゴルフ場情報は、ゴルフ場の住所、地図、静止画像、動画映像、コース情報などを含んでいても良い。開催情報は、競技方法、表彰、会費、申込み方法、締切日などの情報を含んでいても良い。表示された問合書フォームおよび案内書フォームは、印刷可能であることが好ましい。この場合、印刷された問合書または案内書を、ＦＡＸや郵便などによりゴルフ場または参加者に送ることができる。また、あらかじめゴルフ場または参加者の電子メールアドレスを記憶しておき、その電子メールアドレスに基づいて問合書または案内書を送信しても良い。
【００２１】
【発明の実施の形態】
以下、図面に基づき、本発明の実施の形態について説明する。
図１乃至図８は、本発明の実施の形態のゴルフコンペ支援システムを示している。なお、本発明の実施の形態のゴルフコンペ支援方法は、そのゴルフコンペ支援システムにより実行される方法であり、そのゴルフコンペ支援プログラムを記録したハードディスク、ＣＤ−ＲＯＭ、フレキシブルディスクなどのコンピュータ読み取り可能な記録媒体によりコンピュータに実行させることができる。
【００２２】
コンピュータは、ＣＰＵにより構成される制御手段、プログラムを記憶したハードディスクメモリ、各種ファイルを記憶したメモリ、キーボードやマウスなどの入力手段、モニタやプリンタなどの出力手段および通信手段を有している。
【００２３】
図１に示すように、コンピュータは、主制御部１０と、記憶手段１１と、処理手段１２と、表示手段１３とを機能として有している。
主制御部１０は、ＣＰＵ等から構成され、各部の制御や、データの転送、種々の演算等を行う。
【００２４】
記憶手段１１は、ゴルフ場情報を記憶するゴルフ場情報記憶手段１４と、問合書フォームを記憶する問合書フォーム記憶手段１５と、案内書フォームを記憶する案内書フォーム記憶手段１６と、問合せ情報を記憶する問合せ情報記憶手段１７と、開催情報を記憶する開催情報記憶手段１８と、ゴルフコンペの複数の参加者の参加者情報を記憶する参加者情報記憶手段１９とを有している。
【００２５】
なお、ゴルフ場情報は、ゴルフ場の名称、住所、電子メールアドレス、地図、写真、画像、コース情報を含んでいる。問合せ情報は、コンペ開催希望日時およびコンペ参加予定人数を含んでいる。開催情報は、コンペ名称、コンペ開催日時、競技方法、表彰、会費、申込み方法、締切日の情報を含んでいる。参加者情報は、参加者ごとに氏名、ハンディキャップ、生年月日、性別、住所、電話番号、電子メールアドレス、会社名、登録クラブ、同じラウンド組の参加者の指定、異なるラウンド組の参加者の指定、時間帯を表す希望スタート時刻の各情報を含んでいる。
【００２６】
処理手段１２は、ゲーム開始時刻から所定の時間ごとにラウンドするスタート時刻を設定する時刻設定手段２０と、参加者情報の同じラウンド組の参加者の指定、異なるラウンド組の参加者の指定、希望スタート時刻を条件に組み入れて、参加者情報のハンディキャップの各ラウンド組ごとの合計のばらつきが最小になるよう、各参加者情報を所定人数ごとに分けて、所定のゲーム開始時刻から順位とともに複数のラウンド組を設定する組分け手段２１とを有している。
【００２７】
組分け手段２１は、ハンディキャップの小さい順に、各ラウンド組に一人ずつ参加者を振り分けていき、全てのラウンド組に一人ずつ振り分け終わると、振り分けるラウンド組の順番を反対にして、再びハンディキャップの小さい順に、残りの参加者を各ラウンド組に一人ずつ振り分けていき、この処理を繰り返し、全ての参加者を各組に振り分けてラウンド組の設定を行うようになっている。
【００２８】
表示手段１３は、ゴルフ場情報と問合せ情報とを問合書フォームと合成して表示する問合書表示手段２２と、ゴルフ場情報と開催情報とを案内書フォームと合成して表示する案内書表示手段２３と、組分け手段２１で順位とともに設定された各ラウンド組の参加者情報を、その順位に応じて、スタート時刻と対応させて表示する組分け表示手段２４とを有している。
【００２９】
次に、図２を参照してゴルフコンペ支援システムの処理手順について説明する。
まず、あらかじめゴルフコンペの開催候補となるゴルフ場情報を入手して、ゴルフ場情報記憶手段１４に記憶しておく。なお、ゴルフ場側が自分のゴルフ場情報を記憶したゴルフコンペ支援プログラムを、コンペの幹事などに配布しても良い。また、問合書フォームおよび案内書フォームを、それぞれ問合書フォーム記憶手段１５および案内書フォーム記憶手段１６にあらかじめ記憶しておく（ステップ３１）。
【００３０】
コンペの幹事などのゴルフコンペ支援システムの利用者１は、コンペを開催するゴルフ場を選択し、コンペ開催希望日時およびコンペ参加予定人数の問合せ情報を入力する（ステップ３２）。なお、ゴルフ場を選択するときに、ゴルフ場情報に含まれる静止画像、ショットシーンの動画映像、コース情報などを参考にすることができる。コンピュータは、その入力に応じ、問合せ情報を問合せ情報記憶手段１７に記憶し、ゴルフ場情報と問合せ情報とを問合書フォームと合成し、図３に示すように問合書表示手段２２により表示する（ステップ３３）。図３に示す問合書フォームには、ゴルフ場情報のゴルフ場の名称５１、問合せ情報のコンペ開催希望日時５２およびコンペ参加予定人数５３が表示されている。利用者１は、表示された問合書フォームを印刷してＦＡＸや郵便などにより、問合書をゴルフ場に送る（ステップ３４）。また、ゴルフ場情報に含まれるゴルフ場の電子メールアドレスに基づいて、問合書を送信しても良い。
【００３１】
問合書による問い合わせの結果、ゴルフ場や開催日時が決定したならば、利用者１は、コンペ名称、コンペ開催日時、競技方法、表彰、会費、申込み方法、締切日などの開催情報を入力する（ステップ３５）。コンピュータは、その入力に応じ、開催情報を開催情報記憶手段１８に記憶し、ゴルフ場情報と開催情報とを案内書フォームと合成し、図４に示すように案内書表示手段２３により表示する（ステップ３６）。図４に示す案内書フォームには、ゴルフ場情報のゴルフ場の名称５１、開催情報のコンペ名称５４、コンペ開催日時５５、競技方法５６、表彰５７、会費５８、申込み方法５９および締切日６０が表示されている。利用者１は、表示された案内書フォームを印刷してＦＡＸや郵便などにより、案内書を参加予定者に送る（ステップ３７）。また、参加予定者の電子メールアドレスをあらかじめ入手しておき、その電子メールアドレスに基づいて、案内書を送信しても良い。
【００３２】
利用者１は、案内書に対する参加者の申込みに応じて、図５に示すように、参加者の氏名６１、ハンディキャップ６２、生年月日６３、性別６４、住所６５、電話番号６６、電子メールアドレス６７、会社名６８、登録クラブ６９、同じラウンド組の参加者の指定７０、異なるラウンド組の参加者の指定７１、時間帯を表す希望スタート時刻７２、クラス７３などの参加者情報を、参加者から取得して入力する（ステップ３８）。なお、クラス７３は、レディース、シニア、一般の別を表す情報である。コンピュータは、その入力に応じ、複数の参加者の参加者情報を参加者情報記憶手段１９に記憶する（ステップ３９）。図６に示すように、記憶された参加者情報は、データベースとして管理される。
【００３３】
なお、参加者情報は、電話やＦＡＸなどにより参加者から取得しても良い。この場合、取得した参加者情報は、利用者１によりキーボードなどの入力手段によりコンピュータに入力される。また、コンピュータに入力する手間を省くため、参加者から電子メールで参加者情報を取得しても良い。さらに、入力する手間を省くため、以前に開催されたゴルフコンペで使用され、電子データ化されている参加者情報を再利用しても良い。
【００３４】
コンピュータは、ゴルフコンペのゲーム開始時刻から所定の時間ごとにラウンドするスタート時刻を、時刻設定手段２０により設定する（ステップ４０）。参加者情報の同じラウンド組の参加者の指定、異なるラウンド組の参加者の指定、希望スタート時刻を条件に組み入れて、各参加者情報を所定人数ごとに分けて、組分け手段２１により複数のラウンド組を設定する。このとき、参加者情報のハンディキャップの各組ごとの合計のばらつきが最小になるよう、ゲーム開始時刻から順位とともに、ラウンド組を設定する（ステップ４１）。
【００３５】
このように、ハンディキャップの各組ごとの合計のばらつきが最小になるようラウンド組を設定するため、各組の平均レベルがほぼ均一となり、各組のラウンド所要時間の平均化を図ることができる。また、同じラウンド組の指定、異なるラウンド組の指定および希望スタート時刻についての参加者の希望を考慮した最適なラウンド組の設定を行うことができる。このため、従来幹事などが参加者のハンディキャップや希望などを考慮に入れながら行っていた場合に比べ、ラウンド組の設定作業を容易にし、その手間を削減することができる。
【００３６】
なお、コンピュータは、設定された各ラウンド組ごとの参加者情報の年齢のバラツキが大きくなるように、設定されたラウンド組の修正を行うようになっている。その方法は、同じハンディキャップの参加者同士を入れ換える方法のほか、各ラウンド組のハンディキャップの合計が変わらないように、複数の参加者同士を入れ換える方法であってもよい。
【００３７】
図７に示すように、コンピュータは、各ラウンド組の参加者情報７４を、その順位に応じて、スタート時刻７５と対応させて組分け表示手段２４により表示する（ステップ４２）。なお、この表示は印刷することができる。また、利用者１が設定された各ラウンド組を、参加者を入れ換えるなど入力して修正することもできる。
【００３８】
利用者１は、こうして設定された各ラウンド組に応じてゴルフコンペを開催することができる。なお、記憶されたゴルフ場情報、問合せ情報、開催情報および参加者情報の各情報は、図８に示すようにデータベースとして管理され、次回以降に開催されるゴルフコンペの開催準備に利用可能である。
【００３９】
このゴルフコンペ支援システム、ゴルフコンペ支援方法およびゴルフコンペ支援プログラムは、問合書および案内書の作成、ラウンド組の組分けなど、ゴルフコンペの開催準備に伴う一連の作業を容易にすることができる。
【００４０】
なお、このゴルフコンペ支援システム、ゴルフコンペ支援方法およびゴルフコンペ支援プログラムは、コンペ参加者が宿泊する際の部屋割を決めるために使用されてもよい。また、ゴルフコンペの景品を、インターネットを介して注文するためのプログラムが設定されていることが好ましい。
【００４１】
【発明の効果】
本発明によれば、ラウンド組の設定作業を容易にし、その手間を削減することができるゴルフコンペ支援システム、ゴルフコンペ支援方法およびゴルフコンペ支援プログラムを提供することができる。
【図面の簡単な説明】
【図１】本発明の実施の形態のゴルフコンペ支援システムの構成を示すブロック図である。
【図２】図１に示すゴルフコンペ支援システムの処理手順を示すフローチャートである。
【図３】図１に示すゴルフコンペ支援システムの問合書フォームを示す説明図である。
【図４】図１に示すゴルフコンペ支援システムの案内書フォームを示す説明図である。
【図５】図１に示すゴルフコンペ支援システムの参加者情報の入力画面を示す説明図である。
【図６】図１に示すゴルフコンペ支援システムの参加者情報の管理画面を示す説明図である。
【図７】図１に示すゴルフコンペ支援システムのラウンド組の表示画面を示す説明図である。
【図８】図１に示すゴルフコンペ支援システムのゴルフ場情報、問合せ情報、開催情報および参加者情報の各情報の管理画面を示す説明図である。
【符号の説明】
１  利用者
１０  主制御部
１１  記憶手段
１２  処理手段
１３  表示手段
１４  ゴルフ場情報記憶手段
１５  問合書フォーム記憶手段
１６  案内書フォーム記憶手段
１７  問合せ情報記憶手段
１８  開催情報記憶手段
１９  参加者情報記憶手段
２０  時刻設定手段
２１  組分け手段
２２  問合書表示手段
２３  案内書表示手段
２４  組分け表示手段
【図１】
2004348297.tif 000003
【図２】
2004348297.tif 000004
【図３】
2004348297.tif 000005
【図４】
2004348297.tif 000006
【図５】
2004348297.tif 000007
【図６】
2004348297.tif 000008
【図７】
2004348297.tif 000009
【図８】
2004348297.tif 000010
【手続補正書】
【提出日】平成15年10月22日(2003.10.22)
【手続補正１】
【補正対象書類名】明細書
【補正対象項目名】特許請求の範囲
【補正方法】変更
【補正の内容】
【特許請求の範囲】
【請求項１】
ゴルフコンペの複数の参加者を参加者ごとに氏名およびハンディキャップの情報を含む参加者情報として記憶する参加者情報記憶手段と、
前記参加者情報記憶手段に記憶された参加者情報を取得し、その参加者情報のハンディキャップの各組ごとの合計のばらつきが最小になるよう、各参加者情報を所定人数ごとに分けて複数のラウンド組を設定する組分け手段と、
各参加者情報を前記組分け手段で設定したラウンド組ごとに表示する組分け表示手段とを、
コンピュータに有することを特徴とするゴルフコンペ支援システム。
【請求項２】
前記参加者情報は、同じラウンド組の参加者の指定、異なるラウンド組の参加者の指定、希望スタート時刻の各情報を含み、
前記組分け手段は、前記参加者情報の同じラウンド組の参加者の指定、異なるラウンド組の参加者の指定、希望スタート時刻を条件に組み入れて、前記ラウンド組を所定のゲーム開始時刻から順位とともに設定する手段から成り、
前記ゲーム開始時刻から所定の時間ごとにラウンドするスタート時刻を設定する時刻設定手段を有し、
前記組分け表示手段は、前記組分け手段で順位とともに設定された各ラウンド組をその順位に応じて、前記時刻設定手段で設定されたスタート時刻と対応させて表示することを、
特徴とする請求項１記載のゴルフコンペ支援システム。
【請求項３】
ゴルフ場の名称を含むゴルフ場情報を記憶するゴルフ場情報記憶手段と、
コンペ開催希望日時およびコンペ参加予定人数を含む問合せ情報を記憶する問合せ情報記憶手段と、
問合書フォームを記憶する問合書フォーム記憶手段と、
前記ゴルフ場情報記憶手段に記憶されたゴルフ場情報と、前記問合せ情報記憶手段に記憶された問合せ情報と、前記問合書フォーム記憶手段に記憶された問合書フォームとを取得し、前記ゴルフ場情報と前記問合せ情報とを前記問合書フォームと合成して表示する問合書表示手段と、
コンペ名称およびコンペ開催日時を含む開催情報を記憶する開催情報記憶手段と、
案内書フォームを記憶する案内書フォーム記憶手段と、
前記ゴルフ場情報記憶手段に記憶されたゴルフ場情報と、前記開催情報記憶手段に記憶された開催情報と、前記案内書フォーム記憶手段に記憶された案内書フォームとを取得し、前記ゴルフ場情報と前記開催情報とを前記案内書フォームと合成して表示する案内書表示手段とを、
有することを特徴とする請求項１または２記載のゴルフコンペ支援システム。
【請求項４】
コンピュータが、ゴルフコンペの複数の参加者を参加者ごとに氏名およびハンディキャップの情報を含む参加者情報として記憶する参加者情報記憶ステップと、
コンピュータが、前記参加者情報記憶ステップで記憶した参加者情報を取得し、その参加者情報のハンディキャップの各組ごとの合計のばらつきが最小になるよう、各参加者情報を所定人数ごとに分けて複数のラウンド組を設定する組分けステップと、
コンピュータが、各参加者情報を前記組分けステップで設定したラウンド組ごとに表示する組分け表示ステップとを、
有することを特徴とするゴルフコンペ支援方法。
【請求項５】
コンピュータを、
ゴルフコンペの複数の参加者を参加者ごとに氏名およびハンディキャップの情報を含む参加者情報として記憶する参加者情報記憶手段、
前記参加者情報記憶手段で記憶した参加者情報を取得し、その参加者情報のハンディキャップの各組ごとの合計のばらつきが最小になるよう、各参加者情報を所定人数ごとに分けて複数のラウンド組を設定する組分け手段、
各参加者情報を前記組分け手段で設定したラウンド組ごとに表示する組分け表示手段として、
機能させるためのゴルフコンペ支援プログラム。
【手続補正２】
【補正対象書類名】明細書
【補正対象項目名】０００６
【補正方法】変更
【補正の内容】
【０００６】
【課題を解決するための手段】
上記目的を達成するために、本発明に係るゴルフコンペ支援システムは、ゴルフコンペの複数の参加者を参加者ごとに氏名およびハンディキャップの情報を含む参加者情報として記憶する参加者情報記憶手段と、前記参加者情報記憶手段に記憶された参加者情報を取得し、その参加者情報のハンディキャップの各組ごとの合計のばらつきが最小になるよう、各参加者情報を所定人数ごとに分けて複数のラウンド組を設定する組分け手段と、各参加者情報を前記組分け手段で設定したラウンド組ごとに表示する組分け表示手段とを、コンピュータに有することを特徴とする。


【手続補正３】
【補正対象書類名】明細書
【補正対象項目名】０００７
【補正方法】変更
【補正の内容】
【０００７】
本発明に係るゴルフコンペ支援方法は、コンピュータが、ゴルフコンペの複数の参加者を参加者ごとに氏名およびハンディキャップの情報を含む参加者情報として記憶する参加者情報記憶ステップと、コンピュータが、前記参加者情報記憶ステップで記憶した参加者情報を取得し、その参加者情報のハンディキャップの各組ごとの合計のばらつきが最小になるよう、各参加者情報を所定人数ごとに分けて複数のラウンド組を設定する組分けステップと、コンピュータが、各参加者情報を前記組分けステップで設定したラウンド組ごとに表示する組分け表示ステップとを、有することを特徴とする。


【手続補正４】
【補正対象書類名】明細書
【補正対象項目名】０００８
【補正方法】変更
【補正の内容】
【０００８】
本発明に係るゴルフコンペ支援プログラムは、コンピュータを、ゴルフコンペの複数の参加者を参加者ごとに氏名およびハンディキャップの情報を含む参加者情報として記憶する参加者情報記憶手段、前記参加者情報記憶手段で記憶した参加者情報を取得し、その参加者情報のハンディキャップの各組ごとの合計のばらつきが最小になるよう、各参加者情報を所定人数ごとに分けて複数のラウンド組を設定する組分け手段、各参加者情報を前記組分け手段で設定したラウンド組ごとに表示する組分け表示手段として、機能させる。


【手続補正５】
【補正対象書類名】明細書
【補正対象項目名】００１６
【補正方法】変更
【補正の内容】
【００１６】
また、本発明に係るゴルフコンペ支援システムは、ゴルフ場の名称を含むゴルフ場情報を記憶するゴルフ場情報記憶手段と、コンペ開催希望日時およびコンペ参加予定人数を含む問合せ情報を記憶する問合せ情報記憶手段と、問合書フォームを記憶する問合書フォーム記憶手段と、前記ゴルフ場情報記憶手段に記憶されたゴルフ場情報と、前記問合せ情報記憶手段に記憶された問合せ情報と、前記問合書フォーム記憶手段に記憶された問合書フォームとを取得し、前記ゴルフ場情報と前記問合せ情報とを前記問合書フォームと合成して表示する問合書表示手段と、コンペ名称およびコンペ開催日時を含む開催情報を記憶する開催情報記憶手段と、案内書フォームを記憶する案内書フォーム記憶手段と、前記ゴルフ場情報記憶手段に記憶されたゴルフ場情報と、前記開催情報記憶手段に記憶された開催情報と、前記案内書フォーム記憶手段に記憶された案内書フォームとを取得し、前記ゴルフ場情報と前記開催情報とを前記案内書フォームと合成して表示する案内書表示手段とを、有することが好ましい。


【手続補正６】
【補正対象書類名】明細書
【補正対象項目名】００１７
【補正方法】変更
【補正の内容】
【００１７】
また、本発明に係るゴルフコンペ支援方法は、コンピュータが、ゴルフ場の名称を含むゴルフ場情報を記憶するゴルフ場情報記憶ステップと、コンペ開催希望日時およびコンペ参加予定人数を含む問合せ情報を記憶する問合せ情報記憶ステップと、問合書フォームを記憶する問合書フォーム記憶ステップと、前記ゴルフ場情報記憶ステップに記憶されたゴルフ場情報と、前記問合せ情報記憶ステップに記憶された問合せ情報と、前記問合書フォーム記憶ステップに記憶された問合書フォームとを取得し、前記ゴルフ場情報と前記問合せ情報とを前記問合書フォームと合成して表示する問合書表示ステップと、コンペ名称およびコンペ開催日時を含む開催情報を記憶する開催情報記憶ステップと、案内書フォームを記憶する案内書フォーム記憶ステップと、前記ゴルフ場情報記憶ステップに記憶されたゴルフ場情報と、前記開催情報記憶ステップに記憶された開催情報と、前記案内書フォーム記憶ステップに記憶された案内書フォームとを取得し、前記ゴルフ場情報と前記開催情報とを前記案内書フォームと合成して表示する案内書表示ステップとを、有することが好ましい。


【手続補正７】
【補正対象書類名】明細書
【補正対象項目名】００１８
【補正方法】変更
【補正の内容】
【００１８】
また、本発明に係るゴルフコンペ支援プログラムは、コンピュータを、ゴルフ場の名称を含むゴルフ場情報を記憶するゴルフ場情報記憶手段、コンペ開催希望日時およびコンペ参加予定人数を含む問合せ情報を記憶する問合せ情報記憶手段、問合書フォームを記憶する問合書フォーム記憶手段、前記ゴルフ場情報記憶手段で記憶されたゴルフ場情報と、前記問合せ情報記憶手段で記憶された問合せ情報と、前記問合書フォーム記憶手段で記憶された問合書フォームとを取得し、前記ゴルフ場情報と前記問合せ情報とを前記問合書フォームと合成して表示する問合書表示手段、コンペ名称およびコンペ開催日時を含む開催情報を記憶する開催情報記憶手段、案内書フォームを記憶する案内書フォーム記憶手段、前記ゴルフ場情報記憶手段で記憶されたゴルフ場情報と、前記開催情報記憶手段で記憶された開催情報と、前記案内書フォーム記憶手段で記憶された案内書フォームとを取得し、前記ゴルフ場情報と前記開催情報とを前記案内書フォームと合成して表示する案内書表示手段として、機能させることが好ましい。